(57)【要約】      （修正有）【課題】地図等をはさんだボード板本体を助手席に取り付けることで、運転席から見えるため、ナビ（者）を要さずに運転ができるボード板を提供する。【解決手段】ボード板本体１に紙ばさみ２を設け、開閉自在となるようにして地図等のコピーをはさみ、開閉自在となるベルトとマジックテープで助手席側サンバイザーを倒して固定することで、運転席から地図とカーナビを見られるため、ルートの定まった走行の際に、ナビ（者）を要さず車を運転することを可能とする。【選択図】図１
0003159327.tif 000002
【実用新案登録請求の範囲】
【請求項１】
ボード板本体にバネにより開閉する「く」の字形の紙ばさみをボード板の上下に２ヶ所に設け、ボード板本体に枢着した布製ベルトに付けたマジックテープの付け外しで脱着できることを特徴とするナビ（者）いらずボード板。
【考案の詳細な説明】
【技術分野】
【０００１】  本考案は、ボード板に紙ばさみとベルトを付けたものであり、ボード板に紙ばさみではさんだ地図が見られるため、ナビ（者）に頼らず車の運転を可能とするボード板に関するものである。
【背景技術】
【０００２】  決められたコースを運転するには走行路を理解して、前進、右左折をする必要があるため、理解不足の場合は、走行指示を出してもらう必要があった。
【考案の開示】
【考案が解決しようとする課題】
【０００３】  ルートの定まった走行路を運転するときは、ナビ（者）の指示に従って運転操作を行っていたため、目的地に到達する方法はナビ（者）の指示を必要としていたが、地図をはさんだボード板を助手席のサンバイザーに付けることにより、運転席から見えるため、運転中でも地図とカーナビを見ることが可能になり前途の欠点を解決しようとするものである。
【課題を解決するための手段】
【０００４】  本考案は、車の助手席側のサンバイザーに地図をはさんだボード板を取り付けることで運転中に地図とカーナビを見ることができ問題点を解決している。
【考案の効果】
【０００５】  上述の様に、考案のナビ（者）いらずボード板は、車の助手席側のサンバイザーを倒してボード板を取り付けることで運転席から地図とカーナビを見ることができ、目的地までの運転走行を確実にすると共にナビ（者）を要さないため、経済的負担の軽減に役立つ。
【考案を実施するための最良の形態】
【０００６】  ボード板本体を助手席側のサンバイザーを倒した状態で取り付けると、ボード板の紙ばさみでコピーした地図等を見られる状態になり、カーナビと走行地点を比較することで走行地点の確認ができ走行ルートの確実性を高めることができる。なお、地図は赤ペン等で走行路をぬり走行順序は矢印を入れる。又、夜間は地図をライトで照らす。
【実施例】
【０００７】  以下、添付図に従って実施例を説明する。１は耐久性のプラスチック素材のボード板本体。２は、地図等をコピーした図面をはさむための紙ばさみで開閉自在となる。３は、サンバイザーに取り付けるためのベルトで中央部をマジックテープ４で開閉する。１のボード板を助手席のサンバイザーを倒した状態で３のベルトを開放しサンバイザーに取り付け、ベルトを閉じ４のマジックテープで固定し、次に２の紙ばさみでコピーした地図等をはさみ、運転席から見やすくする。【０００８】  本考案の実施例は上述の如き構成からなるものであり、図５に示すように助手席側のサンバイザーに取り付けることで、ナビ（者）を要さずに運転する際に用いられる。
【図面の簡単な説明】
【０００９】
【図１】本考案の正面図
【図２】本考案の側面図１
【図３】本考案の側面図２
【図４】本考案の裏面図
【図５】本考案の実施例図
【符号の説明】
【００１０】  １  ボード板
２  紙ばさみ
３  取り付けベルト
４  マジックテープ
【図１】
0003159327.tif 000003
【図２】
0003159327.tif 000004
【図３】
0003159327.tif 000005
【図４】
0003159327.tif 000006
【図５】
0003159327.tif 000007
【手続補正書】
【提出日】平成22年2月19日(2010.2.19)
【手続補正１】
【補正対象書類名】実用新案登録請求の範囲
【補正対象項目名】全文
【補正方法】変更
【補正の内容】
【実用新案登録請求の範囲】
【請求項１】
ボード板本体にバネにより開閉する「く」の字形の紙ばさみをボード板の上下に２ヶ所に設け、ボード板本体に枢着した布製ベルトに付けた面ファスナーの付け外しでサンバイザーよりボード板を脱着できることを特徴とするナビ（者）いらずボード板。
【手続補正２】
【補正対象書類名】明細書
【補正対象項目名】全文
【補正方法】変更
【補正の内容】
【考案の詳細な説明】
【技術分野】
【０００１】  本考案は、ボード板に紙ばさみとベルトを付けたものであり、ボード板に紙ばさみではさんだ地図が見られるため、ナビ（者）に頼らず車の運転を可能とするボード板に関するものである。
【背景技術】
【０００２】  決められたコースを運転するには走行路を理解して、前進、右左折をする必要があるため、理解不足の場合は、走行指示を出してもらう必要があった。
【考案の開示】
【考案が解決しようとする課題】
【０００３】  ルートの定まった走行路を運転するときは、ナビ（者）の指示に従って運転操作を行っていたため、目的地に到達する方法はナビ（者）の指示を必要としていたが、地図をはさんだボード板を助手席のサンバイザーに付けることにより、運転席から見えるため、運転中でも地図とカーナビを見ることが可能になり前途の欠点を解決しようとするものである。
【課題を解決するための手段】
【０００４】  本考案は、車の助手席側のサンバイザーに地図をはさんだボード板を取り付けることで運転中に地図とカーナビを見ることができ問題点を解決している。
【考案の効果】
【０００５】  上述の様に、考案のナビ（者）いらずボード板は、車の助手席側のサンバイザーを倒してボード板を取り付けることで運転席から地図とカーナビを見ることができ、目的地までの運転走行を確実にすると共にナビ（者）を要さないため、経済的負担の軽減に役立つ。
【考案を実施するための最良の形態】
【０００６】  ボード板本体を助手席側のサンバイザーを倒した状態で取り付けると、ボード板の紙ばさみでコピーした地図等を見られる状態になり、カーナビと走行地点を比較することで走行地点の確認ができ走行ルートの確実性を高めることができる。なお、地図は赤ペン等で走行路をぬり走行順序は矢印を入れる。又、夜間は地図をライトで照らす。
【実施例】
【０００７】  以下、添付図に従って実施例を説明する。１は耐久性のプラスチック素材のボード板本体。２は、地図等をコピーした図面をはさむための紙ばさみで開閉自在となる。３は、サンバイザーに取り付けるためのベルトで中央部をマジックテープ４で開閉する。１のボード板を助手席のサンバイザーを倒した状態で３のベルトを開放しサンバイザーに取り付け、ベルトを閉じ４の面ファスナーで固定し、次に２の紙ばさみでコピーした地図等をはさみ、運転席から見やすくする。【０００８】  本考案の実施例は上述の如き構成からなるものであり、図５に示すように助手席側のサンバイザーに取り付けることで、ナビ（者）を要さずに運転する際に用いられる。
【図面の簡単な説明】
【０００９】
【図１】本考案の正面図
【図２】本考案の側面図１
【図３】本考案の側面図２
【図４】本考案の裏面図
【図５】本考案の実施例図
【符号の説明】
【００１０】１  ボード板２  紙ばさみ３  取り付けベルト４  面ファスナー